(57)【要約】      （修正有）【課題】電気式のエアポンプ装置が利用できないあるいは利用したくない場合でも、エアノズルによる化粧を行える化粧用ノズル装置を提供する。【解決手段】ノズル部１６やガス噴射口等を有するノズル本体１の接続部１４に対して、モータを駆動源として作動される電気式のエアポンプ装置ＡＰを接続することにより、エアを利用した化粧を行なうことができる。一方、エアポンプ装置を使用しないときは、接続部１４に、手指で把持できる大きさとされた携帯型のボンベＢＭを接続することにより、ボンベＢＭから供給されるガスを利用した化粧を行うことができる。【選択図】図１
0003182578.tif 000002
【実用新案登録請求の範囲】
【請求項１】
化粧液が貯溜される貯溜部と、該貯溜部からの化粧液が導かれるノズル部と、該ノズル部の開口面積を変更するための操作部と、該ノズル部の周縁部からガスを噴射させるためのガス噴射口とが設けられてなるノズル本体と、
モータを駆動源として作動され、前記ガス噴射口へエアを供給するためのエアポンプ装置と、
手指で把持できる大きさとされ、前記ガス噴射口へガスを供給するための携帯型のボンベと、
を備え、
前記エアポンプ装置と前記ボンベとが前記ノズル本体に対して選択的に接続可能とされて、前記ガス噴射口に対して前記エアポンプ装置からのエアが供給される状態と前記ボンベからのガスが供給される状態とが選択可能とされている、
ことを特徴とする化粧用ノズル装置。
【請求項２】
請求項１において、
前記ノズル本体に、前記ガス噴射口に連なる共通接続部が形成され、
前記共通接続部に対して、前記エアポンプ装置と前記ボンベとが選択的に接続可能とされている、
ことを特徴とする化粧用ノズル装置。
【請求項３】
請求項２において、
前記共通接続部がねじ部とされ、
前記エアポンプ装置と前記ボンベとが、前記共通ねじ部に対して螺合、螺合解除することにより着脱自在とされている、
ことを特徴とする化粧用ノズル装置。
【請求項４】
請求項１ないし請求項３のいずれか１項において、
前記ノズル本体が横方向に細長く延びる形状とされ、
前記ノズル部が前記ノズル本体の先端部に形成され、
前記貯溜部および前記操作部が前記ノズル本体の上部に形成され、
前記ノズル本体の長手方向略中間部の下部に、前記エアポンプ装置と前記ボンベとに対する接続部が構成されている、
ことを特徴とする化粧用ノズル装置。
【請求項５】
請求項４において、
前記ボンベが略円筒状の細長形状とされて、前記ノズル本体と交差する姿勢状態でもって該ノズル本体に接続、固定され、
前記ボンベを手のひらと小指、薬指、中指で把持しかつ前記ノズル本体を親指と人差し指との間を通した状態で、人差し指でもって前記操作部が操作可能とされている、
ことを特徴とする化粧用ノズル装置。エアポンプ装置から延びる
【請求項６】
請求項１ないし請求項５のいずれか１項において、
前記ボンベが、常時は閉弁状態とされるプッシュバルブを介して前記ノズル本体に接続され、
前記操作部が、揺動可能かつ下方に向けて押圧変位可能として前記ノズル本体に保持され、
前記ノズル部の開口面積を変更するためのニードル弁が、前記ノズル本体の長手方向に変位可能として配設され、
前記操作部を押圧操作することにより前記プッシュバルブが押圧されて開弁され、
前記操作部を揺動操作することにより、前記ニードル弁が変位されて前記ノズル部の開口面積が変更される、
ことを特徴とする化粧用ノズル装置。
【請求項７】
請求項６において、
前記ボンベと前記プッシュバルブとの間にレギュレータが介在され、
前記ボンベが、前記レギュレータと一体化されると共に手指で把持できる大きさとされた収納容器内に出し入れ可能に収納されている、
ことを特徴とする化粧用ノズル装置。
【請求項８】
請求項７において、
雌部材と該雌部材に対して着脱自在に挿入、接続される雄部材とを有するワンタッチ継手が設けられ、
前記雌部材と雄部材とのいずれか一方側の部材が前記プッシュバルブに構成されると共に、他方側の部材が前記レギュレータに構成され、
前記ボンベは、前記収納容器に収納された状態で、前記雌部材と前記雄部材とを縁切りすることにより該レギュレータと共に前記プッシュバルブから取外し可能とされている、
ことを特徴とする化粧用ノズル装置。
【請求項９】
請求項８において、
前記プッシュバルブが前記ノズル本体に対して螺合により取付けられており、
前記エアポンプ装置から延びるエアチューブの先端部に、前記ワンタッチ継手における前記他方側の部材が構成されている、
ことを特徴とする化粧用ノズル装置。
【請求項１０】
請求項８または請求項９において、
前記ボンベが密閉容器として構成され、
前記ボンベには、前記レギュレータに連なる中空の撃針が該ボンベ内に突出するようにして設けられ、
前記収納容器に前記ボンベを収納した状態で、該ボンベを前記撃針に向けて押圧変位させるためのねじ式の押圧部が設けられ、
前記ボンベは、前記押圧部でもって前記撃針に向けて押圧されることにより、該撃針が該ボンベの壁部を貫通して、該ボンベ内からのガスが該撃針を介して前記レギュレータに供給される、
ことを特徴とする化粧用ノズル装置。
【請求項１１】
請求項１０において、
前記収納容器は、前記ボンベを出し入れするための開口部を有する本体部と、該本体部にねじ結合されて該開口部を塞ぐ蓋部との分割構成とされ、
前記蓋部が、前記本体部に対する螺合を進行させることにより前記ボンベを前記撃針に向けて押圧するための前記押圧部として機能される、
ことを特徴とする化粧用ノズル装置。
【請求項１２】
請求項７ないし請求項１１のいずれか１項において、
前記レギュレータに、マニュアル操作されて前記ボンベから流出されるガスの圧力を調整するための調圧部が設けられている、ことを特徴とする化粧用ノズル装置。
【請求項１３】
請求項１ないし請求項１２のいずれか１項において、
前記ボンベが、二酸化炭素を液化状態で貯溜していて、前記ガス噴射口へはガス化された状態の二酸化炭素が供給され、
前記ボンベが、該ボンベを出し入れ可能に収納する合成樹脂製の収納容器に収納された状態で、該収納容器と共に前記ノズル本体に対して着脱自在に固定される、
ことを特徴とする化粧用ノズル装置。
【考案の詳細な説明】
【技術分野】
【０００１】
本考案は、化粧用ノズル装置に関するものである。
【背景技術】
【０００２】
化粧用具の一種として、エアを利用して化粧液を顔面に噴射（噴霧）するためのエアノズルが知られている。このエアノズルは、そのノズル本体に、化粧液を貯溜する貯溜部と、ノズル本体の先端部に形成されて該貯溜部に連なるニードル弁式のノズル部と、ニードル弁を操作する操作部と、エア圧発生源に接続されると共にノズル部の周縁部に開口されたエア噴射口と、を有する。そして、ノズル本体の先端部には、ノズル部を囲むと共に内部にエア噴射口からのエアが供給される噴射ノズルが設けられる。このようなエアノズルは、片方の手指で把持されて、噴射ノズルを顔面に向けて使用されることになる。すなわち、エア噴射口から噴射されるエアのベンチュリ効果によって、ノズル部から化粧液が吸引されて、エアと化粧液との混合物が噴射ノズルから噴射されることになる。そして、噴射される化粧液の量は、操作部を操作してノズル部の開口面積を変更することにより行われる。
【０００３】
特許文献１には、噴射ノズルの変更と貯溜部に貯溜させる液体の変更によって、化粧液噴射を行う化粧用としての使用状態と、洗顔液をクリーム状にして噴射する洗顔用としての使用状態とを適宜選択できるようにしたエアノズル装置が開示されている。また、特許文献２には、二酸化炭素を貯溜したボンベからのガスを利用して化粧液を噴射するものが開示されており、化粧液噴射用の本体内に上記ボンベやレギュレータ等を一体的に組み込んだものが開示されている。この特許文献２に記載のものは、特に、１つのバルブ操作でもって、ボンベからのガス圧の低下とガス圧の制御とを行えるようにしたものとなっている。
【先行技術文献】
【特許文献】
【０００４】
【特許文献１】実用新案登録第３１７９２６１号公報
【特許文献２】実用新案登録第３１７５４４６号公報
【考案の概要】
【考案が解決しようとする課題】
【０００５】
前述したエアノズルにおけるエア噴射口へのエア供給は、エアポンプ装置からエアチューブを介して行われるようになっている。そして、エアポンプ装置は、例えば商用電源に接続されて使用される電気式とされて、モータを駆動することによって圧縮エアを供給するようになっている。
【０００６】
一方、例えば旅先等の出先でもってエアノズルによる化粧を行おうとした場合、大きくて重量物となるエアポンプ装置を携行したくない場合がある。また、商用電源が利用できないためにあるいは大きな作動音を発生させたくない等の観点から、エアポンプ装置を使用できないあるいは使用したくない場合がある。とりわけ、出先で化粧直しをするようなときは、大型で重いエアポンプ装置は携行したくないという要請が強いものとなる。
【０００７】
本考案は以上のような事情を勘案してなされたもので、その目的は、エアポンプ装置が利用できないあるいは利用したくない場合でも、エアノズルによる化粧を行えるようにした化粧用ノズル装置を提供することにある。
【課題を解決するための手段】
【０００８】
前記目的を達成するため、本考案にあっては、基本的に、ガス供給用の携帯式のボンベを利用して、状況に応じて、エアポンプ装置からのエアとボンベからのガスとを選択的に使い分けることができるようにしてある。具体的には、請求項１に記載のように、
化粧液が貯溜される貯溜部と、該貯溜部からの化粧液が導かれるノズル部と、該ノズル部の開口面積を変更するための操作部と、該ノズル部の周縁部からガスを噴射させるためのガス噴射口とが設けられてなるノズル本体と、
モータを駆動源として作動され、前記ガス噴射口へエアを供給するためのエアポンプ装置と、
手指で把持できる大きさとされ、前記ガス噴射口へガスを供給するための携帯型のボンベと、
を備え、
前記エアポンプ装置と前記ボンベとが前記ノズル本体に対して選択的に接続可能とされて、前記ガス噴射口に対して前記エアポンプ装置からのエアが供給される状態と前記ボンベからのガスが供給される状態とが選択可能とされている、
ようにしてある。
【０００９】
上記解決手法によれば、エアポンプ装置を利用できるときは、エアポンプ装置をノズル本体に接続して、エアポンプ装置からのエアを利用して従来と同様にして化粧を行うことができる。一方、エアポンプ装置を利用できないときあるいは利用したくないときは、ボンベをノズル本体に接続して、ボンベからのガスを利用して化粧を行うことができる。
【００１０】
上記解決手法を前提とした好ましい態様は、請求項２以下に記載のとおりである。すなわち、
前記ノズル本体に、前記ガス噴射口に連なる共通接続部が形成され、
前記共通接続部に対して、前記エアポンプ装置と前記ボンベとが選択的に接続可能とされている、
ようにしてある（請求項２対応）。この場合、ノズル本体に１つの共通接続部を構成しておくだけで、エアポンプ装置またはボンベを選択的に接続することができる。
【００１１】
前記共通接続部がねじ部とされ、
前記エアポンプ装置と前記ボンベとが、前記共通ねじ部に対して螺合、螺合解除することにより着脱自在とされている、
ようにしてある（請求項３対応）。この場合、特に、ノズル本体にボンベを接続した状態では、ボンベとノズル本体とが機械的に一体化された組立体として構成して、その取扱いが容易となる。
【００１２】
前記ノズル本体が横方向に細長く延びる形状とされ、
前記ノズル部が前記ノズル本体の先端部に形成され、
前記貯溜部および前記操作部が前記ノズル本体の上部に形成され、
前記ノズル本体の長手方向略中間部の下部に、前記エアポンプ装置と前記ボンベとに対する接続部が構成されている、
ようにしてある（請求項４対応）。この場合、ボンベを使用して化粧を行うときに、貯溜部や操作部の邪魔にならない位置にボンベを位置させる上で好ましいものとなる。
【００１３】
前記ボンベが略円筒状の細長形状とされて、前記ノズル本体と交差する姿勢状態でもって該ノズル本体に接続、固定され、
前記ボンベを手のひらと小指、薬指、中指で把持しかつ前記ノズル本体を親指と人差し指との間を通した状態で、人差し指でもって前記操作部が操作可能とされている、
ようにしてある（請求項５対応）。この場合、ノズル本体とボンベとの組立体を、片手で把持、操作して化粧を行うことができ、全体として極めて使い勝手のよいものとなる。また、ボンベからのガスを使用して化粧を行う際に、ノズル本体そのものの使い勝手も従来と同様であるので、違和感のないものとすることができる。
【００１４】
前記ボンベが、常時は閉弁状態とされるプッシュバルブを介して前記ノズル本体に接続され、
前記操作部が、揺動可能かつ下方に向けて押圧変位可能として前記ノズル本体に保持され、
前記ノズル部の開口面積を変更するためのニードル弁が、前記ノズル本体の長手方向に変位可能として配設され、
前記操作部を押圧操作することにより前記プッシュバルブが押圧されて開弁され、
前記操作部を揺動操作することにより、前記ニードル弁が変位されて前記ノズル部の開口面積が変更される、
ようにしてある（請求項６対応）。この場合、ノズル本体にボンベを接続した状態で、操作部の押圧、押圧解除によってボンベからガス噴射口へのガス供給と供給停止との切換えを行いつつ、操作部の揺動操作によりノズル部の開口面積を変更して化粧液の噴射量を変更することができ、極めて使い勝手のよいものとなる。勿論、操作部を押圧しない限り、ボンベからガス噴射口へはガスが供給されないので、ボンベ内のガスを無駄に消費してしまうのを防止する上でも好ましいものとなる。
【００１５】
前記ボンベと前記プッシュバルブとの間にレギュレータが介在され、
前記ボンベが、前記レギュレータと一体化されると共に手指で把持できる大きさとされた収納容器内に出し入れ可能に収納されている、
ようにしてある（請求項７対応）。この場合、レギュレータにより、ボンベからガス噴射口へ供給されるガスの圧力（流量）を適正なものとすることができる。また、ボンベが収納容器に収納されることから、収納容器の形状設定等により化粧液噴霧の際の取扱い（特に把持のしやすさ）や外観上の見栄え向上等の上で好ましいものとなる。
【００１６】
雌部材と該雌部材に対して着脱自在に挿入、接続される雄部材とを有するワンタッチ継手が設けられ、
前記雌部材と雄部材とのいずれか一方側の部材が前記プッシュバルブに構成されると共に、他方側の部材が前記レギュレータに構成され、
前記ボンベは、前記収納容器に収納された状態で、前記雌部材と前記雄部材とを縁切りすることにより該レギュレータと共に前記プッシュバルブから取外し可能とされている、
ようにしてある（請求項８対応）。この場合、ノズル本体に対するボンベの着脱をワンタッチ継手を利用して簡単かつ迅速に行うことができる。
【００１７】
前記プッシュバルブが前記ノズル本体に対して螺合により取付けられており、
前記エアポンプ装置から延びるエアチューブの先端部に、前記ワンタッチ継手における前記他方側の部材が構成されている、
ようにしてある（請求項９対応）。この場合、プッシュバルブをノズル本体に取付けた状態として、このプッシュバルブに対するボンベとエアチューブとの着脱を簡単かつ迅速に行うことができる。
【００１８】
前記ボンベが密閉容器として構成され、
前記ボンベには、前記レギュレータに連なる中空の撃針が該ボンベ内に突出するようにして設けられ、
前記収納容器に前記ボンベを収納した状態で、該ボンベを前記撃針に向けて押圧変位させるためのねじ式の押圧部が設けられ、
前記ボンベは、前記押圧部でもって前記撃針に向けて押圧されることにより、該撃針が該ボンベの壁部を貫通して、該ボンベ内からのガスが該撃針を介して前記レギュレータに供給される、
ようにしてある（請求項１０対応）。この場合、ボンベは、収納容器内に収納して撃針によりその壁部が貫通されない限り密閉状態とされて、携帯中でのボンベからのガスもれ等を防止する上で好ましいものとなる。また、ねじを利用した押圧なので、小さな力でもって撃針のボンベ壁部貫通を行うことができる。
【００１９】
前記収納容器は、前記ボンベを出し入れするための開口部を有する本体部と、該本体部にねじ結合されて該開口部を塞ぐ蓋部との分割構成とされ、
前記蓋部が、前記本体部に対する螺合を進行させることにより前記ボンベを前記撃針に向けて押圧するための前記押圧部として機能される、
ようにしてある（請求項１１対応）。この場合、収納容器を有効に利用して、ねじ式の押圧部を構成することができる。
【００２０】
前記レギュレータに、マニュアル操作されて前記ボンベから流出されるガスの圧力を調整するための調圧部が設けられている、ようにしてある（請求項１２対応）。この場合、マニュアル操作によって使用者の希望するガス圧（流量）に調整する上で、またボンベの残量が少なくなったとき等において必要最小限のガス圧（流量）を確保する等の上で好ましいものとなる。
【００２１】
前記ボンベが、二酸化炭素を液化状態で貯溜していて、前記ガス噴射口へはガス化された状態の二酸化炭素が供給され、
前記ボンベが、該ボンベを出し入れ可能に収納する合成樹脂製の収納容器に収納された状態で、該収納容器と共に前記ノズル本体に対して着脱自在に固定される、
ようにしてある（請求項１３対応）。この場合、ボンベに液化二酸化炭素を貯溜しておくことにより、ボンベを極力小型のものとしつつガスを多量に確保する上で、つまりボンベからのガスを利用した化粧液の噴霧が行える時間を極力長く確保する上で好ましいものとなる。また、二酸化炭素を利用した皮膚への美容効果等を合わせて得る上でも好ましいものとなる。
【考案の効果】
【００２２】
本考案によれば、エアポンプ装置が利用できないあるいは利用したくない場合でも、ボンベからのガスを利用して化粧を行なうことができる。
【図面の簡単な説明】
【００２３】
【図１】本考案が適用されたエアノズル装置の一例を示す全体図。
【図２】ノズル部の詳細を示す要部拡大断面図。
【図３】ボンベと収納容器とレギュレータとプッシュバルブとを示す一部断面側面図。
【図４】撃針部分を示す要部拡大断面図。
【図５】操作部とプッシュバルブとの関係を示す要部拡大断面図。
【図６】ノズル本体にボンベを取付けた状態を示す全体側面図。
【図７】ノズル本体にボンベを取付けた状態で化粧を行っている状態を示す図。
【考案を実施するための形態】
【００２４】
図１において、エアノズル（ガスノズル）Ａは、ノズル本体１を有する。このノズル本体１は、前側構成部材１Ａと後側構成部材１Ｂとの分割構成とされて、全体的に手指で把持できるように横方向に細長い形状として形成されている。前側構成部材１Ａは例えば金属によって前後に開口された筒状に形成され、後側構成部材１Ｂは例えば合成樹脂あるいは金属によって後端が閉じられた筒状に形成されている。そして、前側構成部材１Ａの後端部に後側構成部材１Ｂの前端部を螺合することにより、前側構成部材１Ａと後側構成部材１Ｂとが着脱自在に結合される。
【００２５】
ノズル本体１は、ノズル部１１と、貯溜部１２と、操作部１３と、接続部１４と、を有する。ノズル部１１は、ノズル本体１の先端部に構成されている。具体的には、図２に示すように、細長い筒状の弁筒部材２１と、弁筒部材２１内に軸方向に変位可能に位置された長いニードル弁２２とを有する。弁筒部材２１はノズル本体１に固定され、ニードル弁２２は先端部が徐々に先細となるように形成されている。ニードル弁２２がもっとも前方（図１，図２左方）に位置したときは、弁筒部材２２（つまりノズル部１）の先端を閉じる閉弁状態とされる。この閉弁状態からニードル弁２２を後方（図１、図２右方）へ変位させると、弁筒部材２１の先端が開口され、その開口面積は、ニードル弁２２の後方への変量が大きくなるほど大きくされる。
【００２６】
図１に示すように、ニードル弁２２は、その途中に大径部２２ａを有する。この大径部２２ａの後方において、ノズル本体１内には環状のストッパ部材２３が螺合によって固定されている。このストッパ部材２３と大径部２２ａとの間には、ニードル弁２２を取り巻くように配設されたコイルスプリングからなるリターンスプリング２４が配設されて、ニードル弁２２は常時前方に向けて付勢されている（ノズル部１が閉弁される方向へ付勢されている）。なお、ニードル弁２２は、環状のストッパ部材２３および操作部１３（に形成された貫通孔）を摺動可能に貫通している。
【００２７】
貯溜部１２は、図２に示すように、ノズル本体１の上部先端部に位置されて、化粧液（例えばファンデーション用やアイシャドウ用等のための液体）あるいは洗顔液（例えば洗顔石けん液）を貯溜できるようになっている。この貯溜部１２は、ノズル本体１（の前側構成部材１Ａ）に一体的に形成されて、上方が開口されると共に、その底部が、前記弁筒部材２１の後端開口部に連なっている。つまり、貯溜部１２に貯溜された液体は、弁筒部材２１内（弁筒部材２１とニードル弁２２との間の隙間）を通って、弁筒部材２１の先端部つまりノズル部１１に導入されるようになっている。
【００２８】
ノズル部１１の開口面積（開度）の変更は、操作部１３を操作して、ニードル弁２２を前後方向に変位させることによって行われる。この操作部１３は、貯溜部１１の直後方において、ノズル本体の上部に位置されている。操作部１３は、ノズル本体１（の前側構成部材１Ａ）にピン２６（図１参照）を中心に所定角度範囲だけ揺動可能に保持されて、例えば人差し指あるいや親指で前後方向に揺動操作されるようになっている。そして、操作部１３の中間部が、前記大径部２２ａの前端面に対して前方から当接可能とされている。操作部１３がその前方揺動端位置にあるときは、ニードル弁２２は、リターンスプリング３２によって前方ストローク端に位置されて、ノズル部１が閉状態（閉弁状態）とされる。この閉状態から、操作部１３を後方に向けて揺動操作することによって、大径部２２ａを介してニードル弁２２が後方へ変位されて開弁され、ニードル弁２２の後方への変位量が大きくなるにつれてノズル部１の開口面積が大きくされて、最終的に全開状態とされる。なお、操作部１３は、上述した前後方向の揺動のみならず、下方へ押圧操作可能となっているが、この点については後述する。
【００２９】
ノズル本体１の先端部には、化粧液用の噴射ノズル７１または泡立てノズル７２が選択的に取付けられるようになっている。すなわち、ノズル本体１の先端部には、ノズル部１１の周囲において短い筒状の取付部１６が形成され、この取付部１６の外周に雄ねじ部１６ａが形成されている。そして、噴射ノズル７１および泡立てノズル７２の各後端部内面には、上記雄ねじ部１６ａに螺合される雌ねじ部が形成されている。また、噴射ノズル部７１の先端部には、小孔が開口された弾性部材からなるエアマッサージ用のノズル構成部材７３が着脱自在に嵌合されるようになっている。なお、ノズル構成部材７３、泡立てノズル７２は、特許文献１に記載のものと同じなので、その詳細な説明は省略する。
【００３０】
前記接続部１４は、エアポンプ装置ＡＰとボンベＢＭとが選択的に接続される共通接続部とされている。この接続部１４は、図２に示すように、ノズル本体１（の前側構成部材１Ａ）内に形成されたガス通路３５の一端に連なっている。そして、ガス通路３５の他端は、ノズル部１の直下方において、ノズル本体１の前面にガス噴射口３５ａとして開口されている。
【００３１】
エアポンプ装置ＡＰからのガス（エア）またはボンベＢＭからのガスが、接続部１４よりガス通路３５を通って、ガス噴射口３５ａから前方に向けて噴射されることになり、このときノズル部１が開弁されていると、ベンチュリ効果によって弁筒部材１１内の液体がノズル部１から吸引されてガスと共に前方へ噴射されることになる。ノズル部１の開口面積（開度）が大きいほど、噴射される液体量が増大されることになる。
【００３２】
次に、図３，図４を参照しつつ、ボンベＢＭおよびその関連部分について説明する。ままず、ボンベＢＭは、内部に液化二酸化炭素を貯溜していて、略円筒状の細長形状とされて、手指で把持できるような大きさとされている。具体的には、日本炭酸瓦斯株式会社製のミニガスカートリッジ標準仕様のうちもっとも小さい１番仕様が用いられ、全長約６５ｍｍ、最大径約１９ｍｍ、ガス質量約８ｇ、ガス体積約４．４ｌ（リットル−２０度Ｃ）、総質量約３２ｇとされている。このようなボンベＢＭは、使い捨てとされて、１回分の全体化粧を行うのに十分なガス量とされ（ガス噴射口３５ａからのガス噴射時間で４０秒〜６０秒程度）、また化粧直しの場合は数回行える程度のガス量とされる。
【００３３】
ボンベＢＭは、収納容器４０内に収納されて使用される。収納容器４０は、例えば合成樹脂等の断熱性に優れた材質で形成されて、全体的に略円筒状の細長形状とされている。つまり、収納容器４０は、ボンベＢＭよりも若干大きい形状とされて、片方の手で把持できる大きさとされている。
【００３４】
収納容器４０は、本体部４１と蓋部４１との分割構成とされて、ねじ結合（螺合）によって互いに着脱自在として連結される（ねじ部が符合４３で示される）。本体部４１は、下方に開口された開口部４１ａを有して、本体部４１に対して蓋部４２を螺合（連結）することにより、開口部４１ａが施蓋される。ボンベＢＭは、本体部４１から蓋部４２を取外した状態で、開口部４１ａを通して本体部４１内に出し入れされる。
【００３５】
収納容器４０のうち本体部４１の上部には、レギュレータ（減圧弁）５０が一体的に連結されている。図４に示すように、本体部４１内には、ボンベＢＭの首部が嵌合される凹部４１ｂが形成され、この凹部４１ｂ内に突出させて、撃針５１が配置されている。この撃針５１は、中空とされて、本体部４１内とレギュレータ５０内とを連通している。そして、凹部４１ｂ側面には、例えばＯリングからなるシール部材４４が保持されている。なお、レギュレータ５０は、マニュアル操作（例えば回転操作）されて、レギュレータ５０からの吐出圧力を調整するための調整部５０ａが設けられている。
【００３６】
図４に示すように、ボンベＢＭの首部頂面は、部分的に薄肉とされた弱化部４５とされていて、弱化部４５が撃針５１に強く押しあてられると、撃針５１がボンベＢＭの弱化部４５を貫通して、ボンベＢＭ内と連通される。これにより、ボンベＢＭ内の液化二酸化炭素がガス化された状態で、撃針５１を介してレギュレータ５０に供給される。
【００３７】
レギュレータ５０に対しては、プッシュバルブ５３が着脱自在に接続される。プッシュバルブ５３は、突起状のプッシュボタン５３ａを有して、常時は閉弁状態とされている。そして、突起状のプッシュボタン５３ａが押圧されることにより、プッシュバルブ５３が開弁される。
【００３８】
レギュレータ５０とプッシュバルブ５３とは、ワンタッチ継手５４を介して着脱自在に接続されている。実施形態では、ワンタッチ継手５４が、プッシュバルブ５３に形成された雄部材５４ａと、レギュレータ５０に形成された雌部材５４ｂとを有する。雌部材５４ｂは、図３中上下方向に変位可能で、常時は図示を略すスプリングによって上方へ付勢されている。雌部材５４ｂの内部には、周方向に間隔をあけて複数の係合ボール（図示略）が配設されている。雌部材５４ｂを下方へ変位させた状態で、雄部材５４ａを雌部材５４ｂ内に挿入して、雌部材５４ｂを上方位置へ復帰させると、上記係合ボールが雄部材５４ａの外周に係合されて、連結状態とされる。この連結状態から雌部材５４ｂを下方へ変位させて、雄部材５４ａを引き抜くことにより連結解除とされる。なお、このようなワンタッチ継手５４そのものは広く普及しているものなので、これ以上の説明は省略する。なお、ワンタッチ継手としては、例えば、挿入した後例えば略９０度回転させることにより連結完了になるもの等、適宜の形式のものを選択できる。
【００３９】
上記プッシュバルブ５３は、ノズル本体１の接続部１４に対して螺合によって接続（取付）けられる。すなわち、図５に示すように、接続部１４の内面には雌ねじ部１４ａが形成される一方、プッシュバルブ５３の外周には雄ねじ部５３ｂが形成されて、両ねじ部１４ａと５３ｂとが螺合された状態が図５に示される。
【００４０】
前記操作部１３の下端部には、略上下方向に延びる長孔１３ａが形成され、この長孔１３ａ内を、ノズル本体１に固定されたピン２６が貫通している。操作部１３の下端部に対して、ピン２９を介して、上下方向に延びるリンク２８の上端部が回動自在に連結されている。リンク２８は、略上下方向に摺動自在としてノズル本体１に保持されている。リンク２９の下端部は、接続部１４の直上方においてガス通路３５内に突出されている。より具体的には、リンク２８の下端部は、接続部１４に螺合されたプッシュバルブ５３のプッシュボタン５３ａの直上方に位置するようにされている。なお、図５中３０はシール部材である。
【００４１】
操作部１３を下方へ押圧操作すると、リンク２８がプッシュボタン５３ａを押圧し、これによりプッシュバルブ５３が開弁されて、ボンベＢＭからのガスが、ガス通路３５を通ってガス噴射口３５ａから噴射されることになる。操作部１３を押圧操作しつつ、後方へ引き操作することにより、操作部１３がピン２６を中心に揺動されて、ノズル部１６が開かれ、操作部１３の後方への操作量を大きくするほど、ノズル部１６の開口面積が増大されることになる。
【００４２】
再び図１において、前記エアポンプ装置ＡＰは、電気式とされて、内蔵したモータにより駆動されるようになっている（実施形態では、モータは商用電源を電源として駆動される）。エアポンプ装置ＡＰから延びるエアチューブ６１の先端部に、接続部１４（の雌ねじ部１４ａ）に螺合される雄ねじ部材６２が取付けられている。エアポンプ装置ＡＰの電源スイッチＳ１をＯＮとすると上記モータが駆動されて、エアチューブ６１からエアが供給される。エアチューブ６１（の雄ねじ部材６２）を接続部１４に接続した状態では、エアポンプ装置ＡＰからのエアが、ガス通路３５を通ってガス噴射口３５ａから噴射されることになる。
【００４３】
ボンベＢＭは、ノズル本体１と共に、１個〜３個程度携帯して使用される。すなわち、ボンベＢＭからのガスを使用した化粧を行う場合は、図１に示すように、プッシュバルブ５３をレギュレータ５０に接続した状態で、収納容器４０内にボンベＢＭを収納して、ボンベＢＭからレギュレータ５０へガスが供給される状態とする。この後、プッシュバルブ５３をノズル本体１の接続部１４に接続するだけで、ボンベＢＭからのガスを利用した化粧を行うことができる。
【００４４】
ノズル本体１に対して、噴射ノズル６１を取付けると共にボンベＢＭを接続した（取付けた）状態が、図６に示される。図６から明らかなように、相対的に重量物となるボンベＢＭの組立体（収納容器４０、レギュレータ５０、プッシュバルブ５３が一体化された組立体）は、横方向に細長く延びるノズル本体１に対して、その長手方向略中間部（略操作部１３の配設位置）から下方へ細長く延びた状態とされる。実施形態では、ノズル本体１に対してボンベＢＭの組立体が、操作部１３とは反対側に向けて略直交する方向に延びた状態とされる。
【００４５】
ボンベＢＭが取付けられたノズル本体１を使用して化粧を行う状況が、図７に示される。すなわち、例えば片方の手における手のひらと小指と薬指と中指とでボンベＢＭの組立体を把持しつつ、ノズル本体１を親指と人差し指との間を通した状態で、人差し指で操作部１３を操作できる状態となる。ノズル本体１の把持態様および操作部１３の操作態様は、エアポンプ装置ＡＰを利用する従来の場合と同じであり（使い勝手が従来と同じ）、違和感なく化粧を行うことができる。ボンベＢＭの組立体は、相対的に重量物である一方、ノズル本体１から下方に延びているので、安定した把持状態で化粧を行うことができる。
【００４６】
なお、ボンベＢＭの残量が極端に少なくなってガス噴射口３５ａからの吐出圧力が大きく低下したときは、調整部５０ａを操作して、圧力上昇を図ることができる（ガスの有効利用）。勿論、ガス噴射口３５ａからの噴射圧力が高すぎるときは、調整部５０ａによってレギュレータ５０からの吐出圧力を低下させるようにすればよい。もっとも、レギュレータ５０が初期設定のままでも、例えばファンデーションでの化粧を全体的に１回行なう程度の時間範囲内でのガス使用量では、調整部５０ａによる調整は不要となっている。
【００４７】
エアポンプ装置ＡＰを利用して化粧を行うには、プッシュバルブ５３を接続部１４から取外し、この接続部１４に対して、エアチューブ６１の先端部に設けた雄ねじ部材６２を接続して使用すればよい。エアポンプ装置ＡＰを使用する場合には、プッシュバルブ５３は存在しないので、ガス噴射口３５ａからエアを噴射させるのに、操作部１３の押圧操作は不要である。なお、エアポンプ装置ＡＰは、吐出エア圧を変更するためのスイッチＳ２〜Ｓ４を有して、噴射ノズル７１を使用するとき、ノズル構成部材７３を合わせて使用するときと、泡立てノズル７２を使用するときとで最適なエア圧が得られるようにしてある。
【００４８】
ここで、プッシュバルブ５３は、常時接続部１４に取付けた状態としておいてもよい。この場合、プッシュバルブ５３とボンベＢＭとは、ワンタッチ継手５４部分で縁切り（接続解除）すればよい。なお、ワンタッチ継手５４で縁切りする場合は、あらかじめ、ボンベＢＭ内のガスを全てガス噴射口３５ａから噴射させた後に行えばよい。もっとも、雌部材５４ｂ内に、常時は閉弁状態とされると共に雄部材５４ａで押圧されることにより開弁される逆止弁を内蔵させておくことにより、ボンベＢＭ内のガス抜きを行うことなくボンベＢＭを接続部１４から取外すこともできる。また、エアチューブ６１の先端部には、プッシュバルブ５３に構成されたワンタッチ継手５４の雄部材５４ａに接続される雌部材（レギュレータ５０に構成した雌部材５４ｂと同じ）を構成しておけばよい。なお、プッシュバルブ５３を使用しつつエアポンプ装置ＡＰを使用するときは、エアポンプ装置ＡＰとして、エアチューブ６１への供給圧力が所定以上になるのを規制するリリーフ弁を有するものを用いるのが好ましい。
【００４９】
以上実施形態について説明したが、本考案は、実施形態に限定されるものではなく、実用新案登録請求の範囲の記載された範囲において適宜の変更が可能であり、例えば次のような場合をも含むものである。泡立てノズル５１を使用しないものであってもよい（洗顔用としては用いない）。貯溜部１２に化粧水等を入れて、二酸化炭素による美容効果のために使用することもできる。ガス噴射口３５ａに対するエアポンプ装置ＡＰ、ボンベＢＭとの接続部を互いに別個専用に設けるようにしてもよい（使用しない接続部は閉じるようにしておく）。
【００５０】
ガス噴射口３５ａに供給されるガス圧を、操作部１３あるいは操作部１３とは別個にノズル本体１に設けた別の操作部を操作することによって調整可能としてもよい。ノズル部１１の開口面積を一定としてもよく、この場合、例えばガス通路３５に設けた弁装置の開度を操作部１３を操作することによって変更するようにしてもよい。ガス噴射口３５ａは、ノズル部１１の周囲に間隔をあけて複数個設けるようにしてもよい。ノズル７１，７２等をノズル本体１に着脱自在に取付ける場合、例えばワンタッチ継手を用いる等、ねじ結合以外の適宜の手法を採択することができる。エアポン装置ＡＰは、電気で作動するものであれば、商用電源を電力源とする場合に限らず、電池を電力源とするものであってもよい。エアポンプ装置ＡＰのモータは、駆動力を発生する電気式のアクチュエータであれば、回転式に限らず、往復動式等適宜の形式のものを採択できる。
【００５１】
ボンベＢＭに貯溜されるガスの種類としては、皮膚に問題のないものであれば、二酸化炭素以外の適宜のガス（例えば窒素ガス、空気等）とすることができ、また気体状態での貯溜であってもよい。ボンベＢＭをノズル本体１に取付ける際の姿勢状態は適宜のものとすることができ、実施形態で示すノズル本体１に対して略直交する場合に限らず、例えば後下がりのように若干ノズル本体１に対して傾斜させて取付けるようにしてもよい。また、ボンベＢＭをノズル本体１に対して機械的に一体化する場合に限らず、可撓性を有するチューブを介してノズル本体１に対して接続するようにしてもよい。ボンベＢＭとして、直径が互いに略同じで、長さが相違するものを複数種用いるようにしてもよい（直径が同じで長さのみが相違するボンベが市販されている）。この場合、蓋部４２の本体部４１に対する螺合量（螺合位置）を変更することにより、長さの相違するボンベＢＭに対応することができる（蓋部４２として、ボンベＢＭの長さの相違に応じて長さの相違するものを複数種用意しておくことにより対応することも可能）。収納容器４０における本体部４１と蓋部４２との長さ割合は、蓋部４２の長さを本体部４１の長さよりも十分に長くする等適宜変更することができる。また、ボンベＢＭを撃針５１で貫通させる際に、女性の両方の手指でもって本体部４１と蓋部４２とを相対回転させるためにそれぞれしっかりと把持できるように、本体部４１と蓋部４２との長さを略等しく設定することもできる。勿論、本考案の目的は、明記されたものに限らず、実質的に好ましいあるいは利点として表現されたものを提供することをも暗黙的に含むものである。
【産業上の利用可能性】
【００５２】
本考案は化粧用ノズル装置として好適である。
【符号の説明】
【００５３】
Ａ：エアノズル
ＡＰ：エアポンプ装置
ＢＭ：ボンベ
１：ノズル本体
１１：ノズル部
１２：貯溜部
１３：操作部
１３ａ：長孔
１４：エア接続部
１４ａ：雌ねじ部
１６：取付部
２１：弁筒部材
２２：ニードル弁
２４：リターンスプリング
２６：ピン（操作部の揺動中心）
２８：リンク
２９：ピン
３５：ガス通路
３５ａ：ガス噴射口
４０：収納容器
４１：本体部
４１ａ：開口部
４２：蓋部
４３：ねじ部
５０：レギュレータ
５０ａ：調整部
５１：撃針
５３：プッシュバルブ
５３ａ：プッシュボタン
５３ｂ：雄ねじ部
５４：ワンタッチ継手
５４ａ：雄部材
５４ｂ：雌部材
６１：エアチューブ
６２：雄ねじ部材
７１：噴射ノズル
７２：泡立てノズル
７３：ノズル構成部材
【図１】
0003182578.tif 000003
【図２】
0003182578.tif 000004
【図３】
0003182578.tif 000005
【図４】
0003182578.tif 000006
【図５】
0003182578.tif 000007
【図６】
0003182578.tif 000008
【図７】
0003182578.tif 000009
【手続補正書】
【提出日】平成25年1月25日(2013.1.25)
【手続補正１】
【補正対象書類名】実用新案登録請求の範囲
【補正対象項目名】請求項５
【補正方法】変更
【補正の内容】
【請求項５】
請求項４において、
前記ボンベが略円筒状の細長形状とされて、前記ノズル本体と交差する姿勢状態でもって該ノズル本体に接続、固定され、
前記ボンベを手のひらと小指、薬指、中指で把持しかつ前記ノズル本体を親指と人差し指との間を通した状態で、人差し指でもって前記操作部が操作可能とされている、
ことを特徴とする化粧用ノズル装置。